(57)【特許請求の範囲】
【請求項１】
側段、前記側段に接続され、第一屈曲段、前記第一屈曲段に接続される第二屈曲段及び前記第二屈曲段に接続される直立段を含む上段、取り付け孔、及び前記取り付け孔に位置する少なくとも１個の嵌着部材を有する内壁と、
前記第一屈曲段に対応して接触する側部及び前記側部から延びて、前記直立段に嵌合する嵌合部を有し、前記内壁に接続される外壁と、
第一緩衝部、及び前記第一緩衝部に接続される第二緩衝部を有し、前記取り付け孔に取り付けられ、前記内壁と前記外壁との間に位置し、前記第二屈曲段、前記直立段、前記側部及び前記嵌合部に囲まれている緩衝部材と、
を備え、
前記嵌着部材は、前記第一緩衝部を挟み、一時的に定位でき、
前記外壁は、前記第二緩衝部に接触する接触部を有する抽斗サイドウォールパーツ。
【請求項２】
前記内壁は、リベットまたは溶接材料が設けられている請求項１に記載の抽斗サイドウォールパーツ。
【請求項３】
キャリア部材をさらに備え、前記内壁に接続される請求項１に記載の抽斗サイドウォールパーツ。
【請求項４】
前記キャリア部材は、リベットまたは溶接材料が設けられている請求項３に記載の抽斗サイドウォールパーツ。
【発明の詳細な説明】
【技術分野】
【０００１】
本発明は、抽斗サイドウォールパーツに関する。
【背景技術】
【０００２】
特許文献１に開示される抽斗スライドレールシステム（ＲＡＩＬ  ＳＹＳＴＥＭ  ＦＯＲ  Ａ  ＤＲＡＷＥＲ）は、一対の抽斗サイドウォールを有する。
各抽斗サイドウォールは、内壁と外壁とを相互にリベット接合し、内壁と外壁との間に他の付属部材を取り付ける。
一対の抽斗サイドウォールは、さらに、前端板、後端板及び底板を連接して抽斗本体を組成する。
【０００３】
抽斗サイドウォールは、キャリア部材が連接され、抽斗サイドウォールは、キャリア部材によりスライドレールキット上に取り付けられる。
特許文献１では、リベット接合の方式を利用し、抽斗サイドウォールの内壁と外壁とを結合して固定している。
【先行技術文献】
【特許文献】
【０００４】
【特許文献１】米国特許第２０１４／００４９１４８Ａ１号明細書
【特許文献２】米国特許８４９１０６８Ｂ２号明細書
【発明の概要】
【発明が解決しようとする課題】
【０００５】
特許文献１では、製造の公差により、内壁と外壁とを堅固に接続できずギャップを生じる。さらに、抽斗の引き出し過程において、内壁と外壁との間に取り付けられる付属部材が、振動により破損する恐れがある。
本発明は、このような点に鑑みて創作されたものであり、その目的は、抽斗サイドウォールの内壁と外壁との間に緩衝部材を取り付け、内壁と外壁との間のギャップを消し、防震する抽斗サイドウォールパーツを提供する。
【課題を解決するための手段】
【０００６】
本発明の抽斗サイドウォールは、抽斗サイドウォールの内壁と外壁との間に緩衝部材を取り付け、ギャップの除去と防震する抽斗サイドウォールパーツに関する。
【０００７】
本発明による抽斗サイドウォールパーツは、内壁、内壁に連接する外壁、内壁と外壁との間に位置する緩衝部材を有する。
【０００８】
好ましくは、内壁は、取り付け孔、及び取り付け孔の内壁に位置する少なくとも１個の嵌着部材を有し、緩衝部材は、内壁の取り付け孔に取り付けられ、少なくとも１個の嵌着部材を通して緩衝部材を挟み、一時的に定位できる。
【０００９】
好ましくは、内壁は、側段、及び側段に連接する上段を有し、上段は、第一屈曲段を含む。外壁は、側部を有し、側部の上端部分は、内壁の第一屈曲段に対応して接触する。
【００１０】
好ましくは、緩衝部材は、第一緩衝部、及び第一緩衝部に連接する第二緩衝部を有し、少なくとも１個の嵌着部材は第一緩衝部を挟み、外壁は、緩衝部材の第二緩衝部に接触する接触部を有する。
【００１１】
好ましくは、上段は、第一屈曲段に連接する第二屈曲段、及び第二屈曲段に連接する直立段をさらに有し、外壁は、内壁の直立段に嵌合する嵌合部を有する。
【００１２】
好ましくは、外壁と内壁の少なくとも１個の部分は、リベット接合に用いられるリベットまたは溶接に用いられる溶接材料が設けられる。
【００１３】
好ましくは、キャリア部材をさらに有する。
【００１４】
好ましくは、キャリア部材は、リベット接合に用いられるリベットまたは溶接に用いられる溶接材料が設けられる。
【００１５】
本発明は、緩衝部材を内壁と外壁との間に結合することで、内壁と外壁との間の、製造公差により生まれるギャップを消去し、しかも抽斗の引き出し過程における防振の効果をも達成できる。
【図面の簡単な説明】
【００１６】
【図１】本発明の一実施形態において、抽斗が一対のスライドレールキットによりキャビネット上に取り付けられたときの斜視図である。
【図２】本発明の一実施形態において、抽斗の抽斗サイドウォールパーツが嵌着部材を通してスライドレールキットの第二レールに取り付けられたときの分解斜視図である。
【図３】本発明の一実施形態において、キャリア部材、内壁、緩衝部材間の分解斜視図である。
【図４】緩衝部材が内壁に取り付けられる様子の分解斜視図である。
【図５】内壁と外壁との間の分解斜視図である。
【図６】図２の６−６線方向に沿ってカットされた断面図である。
【発明を実施するための形態】
【００１７】
（一実施形態）
図１に示す抽斗１０は、一対のスライドレールキット１２により、キャビネット１４上に取り付けられ、一対のスライドレールキット１２により、抽斗１０を、キャビネット１４中から引き出し、或いは収納する。
抽斗１０は、一対の抽斗サイドウォールパーツ１６、前端板１８、後端板２０、底板２２により組成される。
【００１８】
図２に示す抽斗サイドウォールパーツ１６とスライドレールキット１２と間の組み合わせ関係において、スライドレールキット１２は、第一レール２４、第一レール２４に可動するように移動する第二レール２６を有する。
第三レール２８をさらに有し、第一レール２４と第二レール２６との間に可動するように連接し、第二レール２６の第一レール２４に対する引き出し長さを拡大する。
抽斗サイドウォールパーツ１６は、キャリア部材３０を有し、第二レール２６上に取り付けられ、嵌着部材３２により、キャリア部材３０と第二レール２６とを対応して嵌着し、これにより抽斗サイドウォールパーツ１６を第二レール２６上に固定する。
抽斗サイドウォールパーツ１６は、内壁３４及び外壁３６をさらに有する。
【００１９】
図３に示す通り、キャリア部材３０は、突出部等の少なくとも１個の連接部材３８を有する。
内壁３４は、孔等の少なくとも１個の第一取り付け部材４０を有する。
連接部材３８と第一取り付け部材４０とは、位置が相互に対応し、溶接、リベット接合、螺接及び他の類似の固定手段等を通して、内壁３４をキャリア部材３０に固定するように取り付ける。溶接には、溶接材料が用いられ、リベット接合には、リベットが用いられる。リベットは、ねじ部がない胴部と頭部とで構成され、穴をあけた部材に差し込んで専用の工具でカシメ、反対側の端部が塑性変形して接合する部品である。
この他、緩衝部材４２をさらに有し、内壁３４に取り付けられる。
【００２０】
図４に示す通り、内壁３４は、緩衝部材４２を取り付ける細部特徴である第二取り付け部材４４を有する。
第二取り付け部材４４は、取り付け孔４６、及び取り付け孔４６の内壁に分布する複数の嵌着部材４８を有する。
緩衝部材４２は、第一緩衝部５０、及び第一緩衝部５０に連接する第二緩衝部５２を有する。
第一緩衝部５０は、内壁３４の取り付け孔４６に対応して取り付けられ、これら嵌着部材４８は第一緩衝部５０を挟み一時的に定位することができる。
【００２１】
図５に示す通り、内壁３４はさらに、少なくとも１個の第三取り付け部材５４を有する。
外壁３６は、少なくとも１個の連接部５６を有する。
第三取り付け部材５４と連接部５６とは、位置が相互に対応し、溶接、リベット接合、螺接及び他の類似の固定手段等を通して、内壁３４と外壁３６とを相互に堅固に連接する。
この他、外壁３６は接触部５８をさらに有し、その位置は、緩衝部材４２に対応する。
接触部５８に隣接する両側には、嵌合部５９を有し、これにより内壁３４と嵌合して固定する。
【００２２】
図６に示す通り、内壁３４の細部構造特徴は、側段６０、及び側段６０に連接する上段６２を有する。
上段６２に続いて、第一屈曲段６４、第一屈曲段６４に連接する第二屈曲段６６、及び第二屈曲段６６に連接する直立段６８を有する。
外壁３６は、側部７０を有し、その上端部分は、内壁３４の第一屈曲段６４に対応して接触する。
この他、接触部５８は、緩衝部材４２の第二緩衝部５２に接触する。
外壁３６の嵌合部５９は、内壁３４の直立段６８に嵌合する。
【００２３】
本実施形態は上述の配置に基づき、緩衝部材４２を内壁３４と外壁３６との間に結合することで、内壁３４と外壁３６との間の、製造公差により生まれるギャップを消去し、しかも抽斗の引き出し過程における防振効果をも達成できる。
【００２４】
前述した本発明の実施形態は本発明を限定するものではなく、よって、本発明により保護される範囲は特許請求の範囲を基準とする。
【符号の説明】
【００２５】
１０  抽斗、
１２  スライドレールキット、
１４  キャビネット、
１６  抽斗サイドウォールパーツ、
１８  前端板、
２０  後端板、
２２  底板、
２４  第一レール、
２６  第二レール、
２８  第三レール、
３０  キャリア部材、
３２  嵌着部材、
３４  内壁、
３６  外壁、
３８  連接部材、
４０  第一取り付け部材、
４２  緩衝部材、
４４  第二取り付け部材、
４６  取り付け孔、
４８  嵌着部材、
５０  第一緩衝部、
５２  第二緩衝部、
５４  第三取り付け部材、
５６  連接部、
５８  接触部、
５９  嵌合部、
６０  側段、
６２  上段、
６４  第一屈曲段、
６６  第二屈曲段、
６８  直立段、
７０  側部。
【図１】
0006490636.tif 000002
【図２】
0006490636.tif 000003
【図３】
0006490636.tif 000004
【図４】
0006490636.tif 000005
【図５】
0006490636.tif 000006
【図６】
0006490636.tif 000007